(57)【要約】【課題】意匠性を向上でき、かつ、障子の両側から開閉操作可能な建具を提供すること。【解決手段】浴室ドア１は、建具枠２と可動障子４とを備える。建具枠２の上枠および縦枠２３，２４は、可動障子４を閉めた際に、上框および左右の縦框４３，４４の第１見付け面４３１、４４１を覆う戸当り部２３２、２４２を備える。可動障子４の戸先側の縦框４３は、第１見付け面４３１と、第２見付け面４３２と、外周側見込み面４３５と、内周側見込み面４３３とを備えるとともに、外周側見込み面４３５から出没するラッチボルト６６と、内周側見込み面４３３に取り付けられてラッチボルト６６を移動可能な第１ハンドル６１と、第２見付け面４３２に取り付けられてラッチボルト６６を移動可能な第２ハンドル６２とが設けられている。【選択図】図４
2016183532.tif 000002
【特許請求の範囲】
【請求項１】
建具枠と、前記建具枠内に開閉可能に設けられる可動障子とを備え、第１空間と第２空間との出入り口に設けられる建具であって、
前記建具枠は、上枠と、下枠と、左右の縦枠とを備え、
前記可動障子は、上框と、下框と、左右の縦框と、面材とを備え、
前記建具枠の上枠および左右の縦枠は、前記可動障子を閉めた際に、前記上框および左右の縦框の前記第１空間側の見付け面を覆う被覆部を備え、
前記左右の縦框のうち戸先側の縦框は、前記第１空間側に面する第１見付け面と、前記第２空間側に面する第２見付け面と、当該第１見付け面と第２見付け面とを繋ぐ外周側見込み面と内周側見込み面とを備えるとともに、
前記外周側見込み面から出没するラッチボルトと、前記内周側見込み面において前記面材よりも第１空間側に取り付けられて前記ラッチボルトを移動可能な第１ハンドルと、前記第２見付け面に取り付けられて前記ラッチボルトを移動可能な第２ハンドルとが設けられている
ことを特徴とする建具。
【請求項２】
請求項１に記載の建具において、
前記第１ハンドルを操作して前記ラッチボルトを移動させた際に、前記第２ハンドルは動かず、
前記第２ハンドルを操作して前記ラッチボルトを移動させた際に、前記第１ハンドルは動かない
ことを特徴とする建具。
【請求項３】
請求項１または請求項２に記載の建具において、
前記ラッチボルトを突出方向に付勢する付勢部材が設けられ、
前記第１ハンドルは、前記ラッチボルトに係合する第１係合部材を備え、
前記第２ハンドルは、前記ラッチボルトに係合する第２係合部材を備え、
前記第１ハンドルを開き方向に操作した場合には、前記第１係合部材が前記付勢部材の付勢力に抗して前記ラッチボルトを縦框側に引き込む方向に移動し、
前記第２ハンドルを開き方向に操作した場合には、前記第２係合部材が前記付勢部材の付勢力に抗して前記ラッチボルトを縦框側に引き込む方向に移動する
ことを特徴とする建具。
【発明の詳細な説明】
【技術分野】
【０００１】
本発明は、浴室と脱衣室との出入り口、建物内の部屋の出入り口、建物の出入り口等に設けられる建具に関する。
【背景技術】
【０００２】
浴室と脱衣室との出入り口用の建具として、建具枠と、この建具枠に開閉自在に支持された障子とを備える建具が知られてる（例えば、特許文献１参照）。
【先行技術文献】
【特許文献】
【０００３】
【特許文献１】特開２００５−３５０９５２号公報
【発明の概要】
【発明が解決しようとする課題】
【０００４】
特許文献１に示すように従来の建具では、障子の框および建具枠が見付面に露出していた。このため、枠および框部分に生じる段差が露出し、特に脱衣室内の内観意匠が低下するという課題がある。
このような課題は、浴室ドアに限らず、室内ドア等の障子の内外にハンドル等の操作具を設けた建具においても同様である。
【０００５】
本発明の目的は、意匠性を向上でき、かつ、障子の両側から開閉操作可能な建具を提供することにある。
【課題を解決するための手段】
【０００６】
本発明は、建具枠と、前記建具枠内に開閉可能に設けられる可動障子とを備え、第１空間と第２空間との出入り口に設けられる建具であって、前記建具枠は、上枠と、下枠と、左右の縦枠とを備え、前記可動障子は、上框と、下框と、左右の縦框と、面材とを備え、前記建具枠の上枠および左右の縦枠は、前記可動障子を閉めた際に、前記上框および左右の縦框の前記第１空間側の見付け面を覆う被覆部を備え、前記左右の縦框のうち戸先側の縦框は、前記第１空間側に面する第１見付け面と、前記第２空間側に面する第２見付け面と、当該第１見付け面と第２見付け面とを繋ぐ外周側見込み面と内周側見込み面とを備えるとともに、前記外周側見込み面から出没するラッチボルトと、前記内周側見込み面において前記面材よりも第１空間側に取り付けられて前記ラッチボルトを移動可能な第１ハンドルと、前記第２見付け面に取り付けられて前記ラッチボルトを移動可能な第２ハンドルとが設けられていることを特徴とする。
【０００７】
本発明の建具は、可動障子の上框および縦框の第１空間側の見付け面が、前記建具枠の上枠および縦枠の被覆部で覆われて隠されている。このため、可動障子の上框、縦框は、第１空間側には露出しない隠し框仕様とすることができる。このため、特に、建具の第１空間側の意匠をシンプルにでき、意匠性を向上できる。
また、可動障子の戸先側の縦框には、ラッチボルトを移動可能な第１ハンドルおよび第２ハンドルが設けられているので、例えば、浴室ドアのように、脱衣室側（第１空間側）および浴室側（第２空間側）からの各ハンドル操作でラッチボルトを出没させて可動障子を開閉できる。この際、第１ハンドルは、戸先側の縦框における第１見付け面ではなく、内周側見込み面に取り付けているので、第１見付け面を覆う縦枠の被覆部と干渉することなく第１ハンドルを配置できる。
【０００８】
本発明の建具において、前記第１ハンドルを操作して前記ラッチボルトを移動させた際に、前記第２ハンドルは動かず、前記第２ハンドルを操作して前記ラッチボルトを移動させた際に、前記第１ハンドルは動かないことが好ましい。
【０００９】
第１ハンドルおよび第２ハンドルは、それぞれ独立して操作されてラッチボルトを出没させることができるので、一方のハンドル操作時に他方のハンドルも連動して移動させる場合に比べて、各ハンドルを操作する力を小さくでき、操作性を向上できる。
さらに、ラッチボルトと第１ハンドルとの連動機構と、ラッチボルトと第２ハンドルとの連動機構とを個別に調整できるので、縦框への第１ハンドル、第２ハンドル、ラッチボルトの組み込み作業を容易に行うことができる。
【００１０】
本発明の建具において、前記ラッチボルトを突出方向に付勢する付勢部材が設けられ、前記第１ハンドルは、前記ラッチボルトに係合する第１係合部材を備え、前記第２ハンドルは、前記ラッチボルトに係合する第２係合部材を備え、前記第１ハンドルを開き方向に操作した場合には、前記第１係合部材が前記付勢部材の付勢力に抗して前記ラッチボルトを縦框側に引き込む方向に移動し、前記第２ハンドルを開き方向に操作した場合には、前記第２係合部材が前記付勢部材の付勢力に抗して前記ラッチボルトを縦框側に引き込む方向に移動することが好ましい。
【００１１】
前記ラッチボルトは、コイルバネなどの付勢部材で突出方向に付勢されているので、第１ハンドルおよび第２ハンドルを操作した際に、第１係合部材および第２係合部材がラッチボルトを付勢部材の付勢力に抗して引き込む方向に移動すればよい。このため、第１係合部材や第２係合部材とラッチボルトとの係合構造を簡易にでき、縦框への第１ハンドル、第２ハンドル、ラッチボルトの組み込み作業も容易に行うことができる。
【発明の効果】
【００１２】
本発明の建具によれば、意匠性を向上でき、かつ、障子の両側から開閉操作を行うことができる。
【図面の簡単な説明】
【００１３】
【図１】本実施形態に係る建具である浴室ドアを浴室側から見た姿図。
【図２】本実施形態に係る建具である浴室ドアを脱衣室側から見た姿図。
【図３】前記浴室ドアの縦断面図。
【図４】前記浴室ドアの横断面図。
【図５】前記浴室ドアの上ピポットヒンジ部材を示す側面図。
【図６】前記浴室ドアの上ピポットヒンジ部材を示す正面図。
【図７】前記浴室ドアの開閉操作部材の要部を示す横断面図。
【図８】前記浴室ドアの開閉操作部材の要部を示す横断面図。
【図９】前記浴室ドアの開閉操作部材の要部を示す側面図。
【発明を実施するための形態】
【００１４】
以下、本発明の実施形態に係る建具を図面に基づいて説明する。
本実施形態の建具は、第１空間である脱衣室と、第２空間である浴室との出入り口に設けられた浴室ドア１であり、図１は浴室側から見た姿図、図２は脱衣室側から見た姿図である。
【００１５】
浴室ドア１は、図３、図４にも示すように、建具枠２と、建具枠２の内部に固定された可動障子４とを備えて構成されている。
建具枠２は、上枠２１、下枠２２および縦枠２３，２４を枠組みして構成されている。
可動障子４は、上框４１、下框４２、戸先側の縦框４３、吊元側の縦框４４を枠組みした内部に、面材であるパネル４５を取り付けて構成されている。
以下、建具枠２および可動障子４の構成について詳述する。
【００１６】
［建具枠］
上枠２１は、図３に示すように、上枠本体部２１１と、上枠本体部２１１の脱衣室側端部から下方に延長された被覆部である戸当り部２１２と、戸当り部２１２の下端から脱衣室側に突出されさらに上方に折曲されて断面略Ｌ字状に形成された見切り片部２１３とを備えている。
見切り片部２１３は、脱衣室の天井材１１の下面に当接し、ネジで天井材１１に固定されている。見切り片部２１３は、天井材１１の端面と上枠２１との隙間を脱衣室から視認できないように隠している。
また、戸当り部２１２の浴室側面には、可動障子４が閉められた際に上框４１に当接する気密材２１５が取り付けられている。
【００１７】
下枠２２は、図３に示すように、下枠本体部２２１と、下枠本体部２２１から脱衣室側に延出された見切り片部２２３とを備えている。
見切り片部２２３は、脱衣室の床材１２の上面に当接し、ネジで床材１２に固定されている。見切り片部２２３は、床材１２の端面と下枠２２との隙間を脱衣室から視認できないように隠している。
下枠本体部２２１の上面には、可動障子４が閉められた際に下框４２に当接する気密材２２５が取り付けられている。
【００１８】
縦枠２３は、図４に示すように、可動障子４の戸先側に設けられる縦枠であり、縦枠本体部２３１と、縦枠本体部２３１の脱衣室側端部から他方の縦枠２４側つまり建具枠２の内周側に突出された被覆部である戸当り部２３２と、戸当り部２３２の先端から脱衣室側に突出され、さらに側方に折曲されて断面略Ｌ字状に形成された見切り片部２３３とを備えている。
見切り片部２３３は、脱衣室の壁材１３に当接し、ネジで壁材１３に固定されている。見切り片部２３３は、壁材１３の端面と縦枠２３との隙間を脱衣室から視認できないように隠している。
また、戸当り部２３２の浴室側面には、可動障子４が閉められた際に縦框４３に当接する気密材２３５が取り付けられている。
さらに、縦枠本体部２３１の内周側の見込み面、つまり縦框４３に対向する面には、後述するラッチボルトが係合される受け部材２３７が取り付けられている。
【００１９】
縦枠２４は、可動障子４の吊元側に設けられる縦枠であり、縦枠２３と同一の断面形状とされ、縦枠２３に対して線対称となる向きに設けられている。
したがって、縦枠２４は、縦枠本体部２４１と、縦枠本体部２４１の脱衣室側端部から他方の縦枠２３側、つまり建具枠２の内周側に突出された被覆部である戸当り部２４２と、戸当り部２４２の先端から脱衣室側に突出され、さらに側方に折曲されて断面略Ｌ字状に形成された見切り片部２４３とを備えている。
見切り片部２４３は、脱衣室の壁材１３に当接し、ネジで壁材１３に固定されている。見切り片部２４３は、壁材１３の端面と縦枠２４との隙間を脱衣室から視認できないように隠している。
また、戸当り部２４２の浴室側面には、可動障子４が閉められた際に縦框４４に当接する気密材２４５が取り付けられている。
【００２０】
［可動障子］
可動障子４は、上框４１と、下框４２と、縦框４３と、縦框４４を備え、縦枠２４側に配置された縦框４４側が吊元側となって建具枠２に回転自在に軸支され、縦枠２３側に配置された縦框４３側が戸先側となって浴室内に開閉される。
【００２１】
上框４１は、図３に示すように、脱衣室（第１空間）側に面する第１見付け面４１１と、浴室（第２空間）側に面する第２見付け面４１２と、第１見付け面４１１および第２見付け面４１２を繋ぐ内周側見込み面４１３と、第１見付け面４１１および第２見付け面４１２の上下方向の中間部を繋ぐ連結片部４１５とを備える。
内周側見込み面４１３の浴室側端部には、パネル４５を保持する保持溝４１４が形成されている。
【００２２】
下框４２は、脱衣室側に面する第１見付け面４２１と、浴室側に面する第２見付け面４２２と、第１見付け面４２１および第２見付け面４２２を繋ぐ内周側見込み面４２３と、第１見付け面４２１および第２見付け面４２２の上下方向の中間部を繋ぐ連結片４２５とを備える。
内周側見込み面４２３の浴室側端部には、パネル４５を保持する保持溝４２４が形成されている。また、第２見付け面４２２の下端部には、下枠２２に当接する気密材４２８が装着されている。
【００２３】
戸先側の縦框４３は、図４に示すように、脱衣室側に面する第１見付け面４３１と、浴室側に面する第２見付け面４３２と、第１見付け面４３１および第２見付け面４３２を繋ぐ内周側見込み面４３３と、外周側見込み面４３５とを備え、略中空形状とされている。
内周側見込み面４３３の浴室側端部には、パネル４５を保持する保持溝４３４が形成されている。
この戸先側の縦框４３には、後述する開閉操作部材６０が設けられる。
【００２４】
吊元側の縦框４４は、脱衣室側に位置する第１見付け面４４１と、浴室側に位置する第２見付け面４４２と、第１見付け面４４１および第２見付け面４４２を繋ぐ内周側見込み面４４３と、外周側見込み面４４５とを備え、略中空形状とされている。
内周側見込み面４４３の浴室側端部には、パネル４５を保持する保持溝４４４が形成されている。
この吊元側の縦框４４には、後述するピポットヒンジが設けられる。
【００２５】
［ピポットヒンジ］
吊元側の縦框４４は、建具枠２にピポットヒンジを用いて回動自在に支持されている。すなわち、下枠２２にはピポット軸を有するピポットヒンジ部材が固定され、縦框４４の下端には前記ピポット軸で回転自在に軸支される軸受部材が固定される。
また、上枠２１には、図５および図６に示すように、軸受部材３１が固定され、縦框４４の上端には上ピポットヒンジ部材３３が取り付けられている。
【００２６】
上枠２１に固定された軸受部材３１は、金属プレート３１０と、樹脂カバー３１５とで構成され、金属プレート３１０には前記上ピポットヒンジ部材３３が挿通される穴３１１が形成されている。
【００２７】
上ピポットヒンジ部材３３は、縦框４４の中空部に挿入されたケース３４と、前記ケース３４内に配置されたピポット軸部材３５と、ケース３４内に配置されて前記ピポット軸部材３５を上方に付勢するコイルバネ３６と、前記ピポット軸部材３５を下方にスライド移動させる着脱レバー３７とを備えている。
前記ピポット軸部材３５の下端部には、水平方向に突出するピン３５１が固定されている。ケース３４は、前記ピポット軸部材３５が挿入される円筒状のガイド筒３４１を備えており、ガイド筒３４１には前記ピン３５１が移動可能な溝３４２が形成されている。
着脱レバー３７は、縦框４４の内周側見込み面４４３に沿って配置された操作部３７１と、操作部３７１の裏面から突出し、内周側見込み面４４３に形成されたガイド溝内に挿入された移動バー３７２とを備える。移動バー３７２は、前記ピン３５１の上面に当接する。したがって、コイルバネ３６の付勢力に抗して着脱レバー３７を下方に移動すると、前記ピン３５１を介してピポット軸部材３５が下方に移動して軸受部材３１から外される。一方、着脱レバー３７の下方への移動を解除すると、ピポット軸部材３５はコイルバネ３６で上方に付勢され、軸受部材３１の穴３１１に挿入される。
【００２８】
［開閉操作部材］
開閉操作部材６０は、図４、図７、図８、図９に示すように、第１ハンドル６１と、第２ハンドル６２と、ラッチ６３とを備えている。
第１ハンドル６１は、可動障子４の脱衣室側（第１空間側）に設けられるハンドルであり、縦框４３の内周側見込み面４３３において、パネル４５よりも第１空間側に固定された軸受部６１１に回動自在に取り付けられている。第１ハンドル６１には、内周側見込み面４３３に形成された孔から縦框４３の中空部に挿入された第１係合部材６１２が取り付けられている。
【００２９】
第２ハンドル６２は、可動障子４の浴室側（第２空間側）に設けられるハンドルであり、縦框４３の第２見付け面４３２に固定された軸受部６２１に回動自在に取り付けられている。第２ハンドル６２には、第２見付け面４３２に形成された孔から縦框４３の中空部に挿入された第２係合部材６２２が取り付けられている。
【００３０】
ラッチ６３は、ケース６５と、ケース６５によって縦框４３から縦枠２３側に出没可能に案内されたラッチボルト６６と、前記ラッチボルト６６を縦框４３から縦枠２３側に突出させる方向に付勢する付勢部材であるコイルバネ６７とを備える。
ラッチボルト６６の上面には、第１ハンドル６１の第１係合部材６１２に係合可能な第１係合板部６６１と、第２ハンドル６２の第２係合部材６２２に係合可能な第２係合板部６６２とが突設されている。
【００３１】
ここで、可動障子４が閉じられて第１ハンドル６１、第２ハンドル６２が操作されていない場合には、図４に示すように、コイルバネ６７によってラッチボルト６６が縦框４３から突出し、縦枠２３の受け部材２３７に係合している。
そして、図７に示すように、第１ハンドル６１を開き方向、具体的にはパネル４５に近づく方向に操作すると、第１係合部材６１２が内周側見込み面４３３側に移動する。このため、第１係合部材６１２が第１係合板部６６１に係合し、第１係合板部６６１を介してラッチボルト６６を没入方向に移動し、コイルバネ６７も圧縮する。これにより、ラッチボルト６６が受け部材２３７から外れ、可動障子４を開くことができる。
この際、ラッチボルト６６の第２係合板部６６２は、第２ハンドル６２の第２係合部材６２２から離れるため、第２ハンドル６２は閉じ位置の状態のままに維持される。
【００３２】
同様に、可動障子４が閉じられた状態で、図８に示すように、第２ハンドル６２を開き方向、具体的にはパネル４５から離れる方向に操作すると、第２係合部材６２２が回動し、第２係合部材６２２の先端側が内周側見込み面４３３側に移動する。このため、第２係合部材６２２が第２係合板部６６２に係合し、第２係合板部６６２を介してラッチボルト６６を没入方向に移動し、コイルバネ６７も圧縮する。これにより、ラッチボルト６６が受け部材２３７から外れ、可動障子４を開くことができる。
この際、ラッチボルト６６の第１係合板部６６１は、第１ハンドル６１の第１係合部材６１２から離れるため、第１ハンドル６１は閉じ位置の状態のままに維持される。
【００３３】
各ハンドル６１，６２の開き操作を解除して元の閉じ位置に戻すと、第１係合部材６１２や第２係合部材６２２が外周側見込み面４３５側に移動するため、コイルバネ６７によってラッチボルト６６も突出方向に移動する。
なお、軸受部６１１、軸受部６２１部分に各ハンドル６１，６２を開き位置から閉じ位置に戻すバネを組み込んだり、コイルバネ６７のバネ力を設定することで、各ハンドル６１，６２から手を離すことで、自動的に各ハンドル６１，６２が閉じ位置に戻るように設定してもよい。
【００３４】
このような本実施形態によれば、以下のような効果がある。
建具である浴室ドア１は、可動障子４の上框４１および縦框４３，４４の脱衣室（第１空間）側の第１見付け面４１１、４３１、４４１が、建具枠２の上枠２１および縦枠２３，２４の被覆部である戸当り部２１２、２３２、２４２で覆われて隠されている。このため、可動障子４の上框４１、縦框４３，４４は、脱衣室側に露出しない隠し框仕様とすることができる。このため、特に、浴室ドア１の脱衣室側の意匠をシンプルにでき、意匠性を向上できる。すなわち、図２に示すように、浴室ドア１において、脱衣室の天井材１１、床材１２、壁材１３で囲まれる開口部分に露出する部分は、パネル４５の他は、第１ハンドル６１と、下框４２程度であるため、浴室ドア１の脱衣室側の姿図が非常にシンプルになり、意匠性を向上できる。
【００３５】
可動障子４は、第１ハンドル６１および第２ハンドル６２を備えているので、脱衣室側および浴室側からの各ハンドル操作で縦枠２３に係合しているラッチボルト６６を外して可動障子４を開閉できる。したがって、本実施形態の建具は、脱衣室（第１空間）側からのハンドル操作と、浴室（第２空間）側からのハンドル操作の両方で可動障子４を開閉することが必要な建具である浴室ドア１として用いることができる。
この際、第１ハンドル６１は、縦框４３の第１見付け面４３１ではなく、内周側見込み面４３３に取り付けているので、縦框４３の第１見付け面４３１を被覆する縦枠２３の戸当り部２３２と干渉することなく第１ハンドル６１を配置できる。
【００３６】
第１ハンドル６１、第２ハンドル６２は、それぞれ独立してラッチボルト６６を出没させることができるので、一方のハンドル操作時に他方のハンドルも連動して移動させる場合に比べて、ハンドル６１，６２を操作する力を小さくでき、操作性を向上できる。
さらに、第１係合部材６１２と第１係合板部６６１との係合状態と、第２係合部材６２２と第２係合板部６６２との係合状態とを個別に調整できるので、縦框４３への第１ハンドル６１、第２ハンドル６２、ラッチ６３の組み込み作業を容易に行うことができる。
【００３７】
第１ハンドル６１および第２ハンドル６２は、各ハンドルの開き操作の方向と、可動障子４の開き方向とが共に脱衣室側から浴室側へ向かう方向で一致しているので、各ハンドルの開き操作をしながら、可動障子４を開くことができ、操作性を向上できる。
【００３８】
可動障子４を建具枠２から着脱する際に用いるピポットヒンジの着脱レバー３７も、縦框４４の第１見付け面４４１ではなく、内周側見込み面４４３に配置しているので、着脱レバー３７が縦枠２４の戸当り部２４２と干渉することがない。このため、縦框４４の第１見付け面４４１も、縦枠２４の戸当り部２４２で被覆することができる。
【００３９】
また、建具枠２の上枠２１、縦枠２４の脱衣室側は、天井材１１、壁材１３で覆われており、見切り片部２１３、２４３部分のみが露出するだけである。さらに、建具枠２の下枠２２の脱衣室側も、見切り片部２２３部分が露出するだけである。
したがって、脱衣室側から浴室ドア１を見た際に、各枠も殆ど露出しないため、浴室ドア１の意匠性をより向上できる。
【００４０】
［変形例］
本発明は、以上の実施形態で説明した構成のものに限定されず、本発明の目的を達成できる範囲での変形例は、本発明に含まれる。
第１ハンドル６１、第２ハンドル６２と、ラッチボルト６６との連動機構は前記実施形態の構成に限定されない。例えば、前記実施形態では、各ハンドル６１，６２が直接ラッチボルト６６に係合していたが、一方のハンドルは他方のハンドルを介してラッチボルトに係合するように構成してもよい。
【００４１】
前記実施形態の浴室ドア１では、開閉操作部材６０として第１ハンドル６１、第２ハンドル６２、ラッチ６３を備えたものであったが、これらに加えて錠を設けてもよい。
また、建具としては、浴室ドア１に限定されず、建物内の部屋の出入り口等に設けられる室内ドアや、建物の外壁開口部分に設けられるドアなどでもよい。
【符号の説明】
【００４２】
１…建具である浴室ドア、２…建具枠、４…可動障子、２１…上枠、２２…下枠、２３…縦枠、２４…縦枠、４１…上框、４２…下框、４３…戸先側の縦框、４４…吊元側の縦框、４５…面材であるパネル、６０…開閉操作部材、６１…第１ハンドル、６２…第２ハンドル、６３…ラッチ、６５…ケース、６６…ラッチボルト、６７…コイルバネ、２１２２、２３２、２４２…被覆部である戸当り部、２３７…受け部材、４１１、４３１、４４１…第１見付け面、４１２、４２２、４３２…第２見付け面、４１３、４２３、４３３…内周側見込み面、４３５、４４５…外周側見込み面、６１２…第１係合部材、６２２…第２係合部材、６６１…第１係合板部、６６２…第２係合板部。
【図１】
2016183532.tif 000003
【図２】
2016183532.tif 000004
【図３】
2016183532.tif 000005
【図４】
2016183532.tif 000006
【図５】
2016183532.tif 000007
【図６】
2016183532.tif 000008
【図７】
2016183532.tif 000009
【図８】
2016183532.tif 000010
【図９】
2016183532.tif 000011